(57)【要約】【課題】反射型偏光子を用いて、小型で耐パワー性が高く、アセンブリが容易な偏波依存型光アイソレータおよびそれを用いた低コストのレーザダイオードモジュールを提供する。【解決手段】一つの直線偏波を透過させ、それと直交する偏波を反射によって遮断することができる２つの反射型偏光子をもち、その間の光路上に４５度のファラデー回転角を与える機能を含み、２つの反射型偏光子のなす平面が平行ではなく、傾きを持つように配置させる。【選択図】図１
2004341076.tif 000002
【特許請求の範囲】
【請求項１】
一つの直線偏光を概略無損失で透過させ、それと直交する偏波成分を反射により遮断することができる反射型偏光子を２つ有し、該偏光子の間の光路上に４５°のファラデー回転角を与える機能を含み、２つの反射型偏光子をなす平面が平行でなく配置され、必要偏波の光の入射方向と出射方向とが平行であることを特徴とする光アイソレータ。
【請求項２】
１つの反射型偏光子を保持する平行平板が４５度の回転角を与えるファラデー回転子であることを特徴とする請求項１記載の光アイソレータ。
【請求項３】
２つの反射型偏光子を保持するそれぞれの平行平板が２２．５°の回転角を与えるファラデー回転子であることを特徴とする請求項１記載の光アイソレータ。
【請求項４】
順方向の動作において、入射光が第一の反射型偏光子およびそれを保持する平行平板を通過する際の屈折により生じる光軸ずれと、第二の反射型偏光子およびそれを保持する平行平板を通過する際の屈折により生じる光軸ずれが逆方向でかつ等しくなるように基板の厚さ、基板の屈折率、入射角度が定められたことを特徴とする請求項１、２または３記載の光アイソレータ。
【請求項５】
２つの反射型偏光子を保持する基板が傾斜角度θのくさび形状であって、２つの基板の間に４５度の回転を与えるファラデー回転子を含み、２つの反射型偏光子をなす平面が角度θだけ傾きかつ全体で平行となるように配置されたことを特徴とする請求項１記載の光アイソレータ。
【請求項６】
少なくとも１つの反射型偏光子が、周期的溝列が形成された基板の上に積層された、面内方向に同じ周期を持つ波状断面を有する屈折率の異なる２種以上の透明材料の交互多層膜からなる偏光子であることを特徴とする請求項１、２、３、４または５記載の光アイソレータ。
【請求項７】
請求項１，２，３，４，５または６記載の光アイソレータと、レーザダイオード、レンズ、光ファイバを有するレーザダイオードモジュール。
【発明の詳細な説明】
【０００１】
【発明の属する技術分野】
本発明は、光アイソレータおよびそれを用いたレーザダイオード（ＬＤ）モジュールに関するものである。
【０００２】
【従来の技術】
偏波依存型光アイソレータは一方から入射される直線偏波光を実質的に損失なく透過させ（以下、順方向と呼ぶ）、それとは逆方向からの入射光を偏光方向に関係なく遮断するデバイスであり、レーザ光源への戻り光防止などの目的で利用される。以降、上記アイソレータを単に光アイソレータと呼ぶ。
光アイソレータは一般的には１枚のファラデー回転子と２枚の偏光子からなる。ここで、ファラデー回転子は、非相反的なファラデー効果により偏波方向を回転させる素子であり、光アイソレータでは通常４５度回転させるものが使われる。その両側に設置される偏光子は、一方向の偏波成分のみを透過させる素子であり、通常ファラデー回転角である４５度だけ透過方向の軸を回転させておく。
【０００３】
偏光子には、透過する直線偏波に対し直交する偏波成分を吸収させるタイプと、反射や伝搬角度を変えるタイプとがある。吸収型偏光子には、特許文献１記載の銀や銅など針状の金属微粒子を分散させたガラスによる偏光子、あるいは金属の微細なグレーティングによるワイヤーグリッド型偏光子が挙げられる。通常の光アイソレータでは、このような吸収型偏光子を用いることが一般的である。
しかしながら、最近多く用いられる高出力レーザに対しては、吸収材料を用いている前記ガラス偏光子やワイヤーグリッド型偏光子では、不要偏波成分や戻り光の吸収により、素子が発熱し信頼性を劣化させることが問題となっている。
【０００４】
一方、反射型偏光子には、特許文献２記載の自己クローニング法で作製された２次元フォトニック結晶偏光子、特許文献３記載の複屈折性ポリマー膜を使った偏光子、特許文献４記載のグレーティング型偏光子が挙げられる。反射型偏光子は素子自体には吸収がなく、従って耐パワー性において優れている。
しかしながら、非特許文献１記載のような反射型偏光子を用いたアイソレータでは、戻り光の一偏波成分は、ガーネット内を多重反射したのち、ＬＤ側に通過する。そのため、ＬＤの活性層に結合しないように、使用するＬＤの構造に合わせて個別にレンズなどの光路設計をすることが必要であり、多種のＬＤモジュールに共通に対応することが難しかった。また、アイソレータを傾けて使用するために、素子の屈折による光軸シフトがあり、光ファイバとの結合のために調芯することが必要であった。このような理由がアセンブリコストを増加させる要因となっていた。
【０００５】
また特許文献７記載のアイソレータは２枚の反射型偏光子とファラデー回転子からなるアイソレータ内に１枚のくさび型基板を挿入した構造である。これは、順方向の動作において、光の入射方向と出射方向とが屈折により異なるため、ＬＤモジュールに組み込む場合には、レンズ、アイソレータ、光ファイバを同時に調整しなければならず、アセンブリが複雑になる、平行に配置することができないためモジュールが大きくなる、という欠点があった。
【０００６】
【特許文献１】アメリカ合衆国特許第３，６５３，８６３号
【特許文献２】特開２００１−８３３２１号公報
【特許文献３】アメリカ合衆国特許第６，１１１，６９７号
【特許文献４】アメリカ合衆国特許第５７７２９０５
【特許文献５】特開２００２−３０３７３２号公報
【特許文献６】特開平１０−３３５７５８号公報
【特許文献７】特開２０００−１５５２８９号公報
【非特許文献１】本間他，電子情報通信学会ソサイエティー大会，Ｃ−４−１０，２００２年９月
【０００７】
【発明が解決しようとする課題】
従来の光アイソレータのうち、吸収型偏光子を使うタイプでは高出力レーザに対しては信頼性の問題があり、また反射型偏光子を使うタイプでは、耐パワー性は優れるものの、光路設計やアセンブリを詳細にすることが必要であり、量産に向かずコスト低減が難しかった。本発明が解決する課題は、反射型の偏光子を使用することで、耐パワー性に優れ、信頼性の高い光アイソレータを実現するとともに、アセンブリの簡素化により、量産性に優れた小型光アイソレータを提供することにある。
【０００８】
【課題を解決するための手段】
はじめに本発明における上記課題を解決するための手段の概略を説明する。第一および第二の反射型偏光子の間に、４５°の回転角を有するファラデー回転子を配置する構成をとる。ここで２枚の反射型偏光子をなす平面を平行ではなく、傾きθをもって対向させることが重要である。このように反射形偏光子を配置することによって、戻り光の全ての偏波成分に大きな角度ずれを与え、アイソレータチップから光源側に戻さないことができる。従って多種のＬＤモジュールに対し、共通の構造で対応することができる。また順方向の光線に対しては、入射方向と出射方向とが平行となるような構成をとる。具体的に平行平板を傾ける方法と、くさび基板を互い違いに組み合わせる方法とがある。さらに反射減衰量を得るため、通常はチップを傾けて使用するが、屈折による光軸ずれを相殺する構成が可能であり、ＬＤモジュールの組み立てが容易になる。このように量産性に優れた低コストの小型アイソレータチップを実現することができる。
【０００９】
反射型偏光子には、特許文献３記載の複屈折率をもつポリマー積層型偏光子、特許文献４のグレーティングをもつ偏光子、特許文献２記載のフォトニツク結晶偏光子でも良い。ここでは後者のフォトニック結晶偏光子について概略を説明する。図２のような周期的な溝列を形成した透明材料基板２０１上に、透明で高屈折率の媒質２０２と低屈折率の媒質２０３とを界面の形状を保存しながら、交互に積層する。各層はｘ方向とｚ方向に周期性があるが、ｙ方向は一様であってもよいし、ｘ軸方向より大きい長さの周期的または非周期的な構造を有していてもよい。
【００１０】
このようにして得られた周期構造体にｚ方向から無偏波光または楕円偏光を入射すると、溝列と平行な偏波即ちｙ偏波と、それに直交するｘ偏波とに対して、ＴＥモードまたはＴＭモードの光がそれぞれ周期構造体の内部に励起される。通常、多層膜では光が伝搬できる波長領域と、光が反射されて遮断される波長領域とをもつ。図２のような面内に凹凸周期を有する場合、その遮断領域に偏波依存性をもたせることができる。例えば、ＴＭ波が透過し、ＴＥ波が反射されるように設計することができる。
【００１１】
当該フォトニツク結晶偏光子は、構成する材料の屈折率、充填率、溝列の周期Ｌｘ、積層方向の周期Ｌｚを調整することで、動作波長域を自由に設定することができる。低屈折率媒質としてはＳｉＯ２を主成分とする材料が最も一般的であり、透明波長領域が広く、化学的、熱的、機械的にも安定であり、成膜も容易に行なえる。しかしながらその他の光学ガラスでもよく、ＭｇＦ２のようにより屈折率の低い材料を用いてもよい。高屈折率材料としては、Ｓｉ、Ｇｅなどの半導体や、Ｔａ２Ｏ５、ＴｉＯ２、Ｎｂ２Ｏ５、ＨｆＯ、Ｓｉ３Ｎ４などの酸化物や窒化物が使用でき、透明波長範囲が広く、可視光領域でも使用できる。一方、半導体は、近赤外域に限定されるが、屈折率が大きい利点がある。
フォトニック結晶偏光子を形成する基板は任意に選ぶことができる。光アイソレータとして用いる場合には、特許文献５記載のように、ファラデー回転子を基板に選ぶと、部品点数を減らすことができて有利である。また個別の偏光子とファラデー回転子を接着する場合と比べると、光路に接着層が入らないため信頼性が向上する。更に、合計の厚さを薄くすることができるため、細かいチップへのダイシングが可能となり、材料コストの低減が可能となる。
【００１２】
次に作製を説明する。まず、図２に示すように、石英ガラスあるいは磁性ガーネット結晶からなる基板上に電子ビームリソグラフィとドライエッチングにより周期的な溝を形成する。あるいはフォトリソグラフィや干渉露光を用いても良い。この基板上に、ＳｉＯ２およびＳｉのターゲットを用い、バイアス・スパッタリング法（あるいはスパッタ成膜とスパッタエッチングを組み合わせたプロセス）により、ＳｉＯ２層とＳｉ層を交互に積層する。そのとき、各層のｘ軸方向に周期的な凹凸の形状を保存しながら成膜を行なうことが肝要である。これは特許文献６記載にある自己クローニング技術と呼ばれており、再現性、均一性が高く、工業的に微細な周期構造（フォトニック結晶）を作製する優れた手法である。
光通信帯（波長１．５５μｍ帯）で使われるフォトニック結晶偏光子では、多層構造の厚さはわずか５〜６μｍ程度であり、ＴＥ偏波の遮断率（消光比）は４５ｄＢ以上と極めて高い値が得られている。このように薄くて高い消光比は、従来の金属分散ガラス型の偏光子では得られない。
【００１３】
【発明の実施の形態】
図１は本発明の光アイソレータの構造を示す図である。第一の反射型偏光子１０１は４５度のファラデー回転角を有するガーネット結晶１０３上に形成されており、第二の反射型偏光子１０２はガラス基板１０４上に形成されている。これらの素子は、表面における反射光が光路に戻らないように、入射方向（ｚ方向）に対して傾けて円筒状の筐体１０５に固定する。傾き角度は任意であるが、実用上の反射減衰量をとるためには２°から１０°が好ましい。
反射型偏光子としては、特許文献２に記載のフォトニック結晶偏光子、特許文献３記載のポリマー膜積層型偏光子、あるいは特許文献４記載のグレーティング型偏光子でも良い。またガーネット結晶は主にｚ方向に成分をもつ磁界により磁化されている。匡筒を磁石で構成しても良く、リング状の磁石を付与しても良い。
【００１４】
反射型偏光子としてフォトニック結晶偏光子を例にとり説明する。２つの偏光子とも、基板上に溝列をリソグラフィとエッチングにより加工した後、屈折率の異なる２種類の透明薄膜を波状の断面形状を有するように交互に積層している。各基板の溝方向のなす角は４５度であり、ここでは紙面垂直方向とのなす角度をそれぞれ０度と４５度とした。ガーネット結晶の厚さは５００μｍ、ガラス基板の厚さは９４０μｍである。また、フォトニック結晶偏光子は空気に対して反射防止膜が形成されており、基板裏面にも空気に対する反射防止がなされている。
【００１５】
図３（ａ）および（ｂ）にはそれぞれ順方向および逆方向のアイソレータ内の光線を示している。順方向では、ｚ方向から入射した光は、θ１傾けられた第一の偏光子およびそれを保持するガーネット基板を透過する。この際、４５°のファラデー回転を伴う。また屈折により光軸シフトが発生するが、出射光の方向は同じくｚ方向である。次に第二の偏光子保持基板および第二の偏光子を透過する。ここで第二の偏光子を透過する光軸はファラデー回転角４５°だけずらしてあり、ほぼ全ての成分が透過する。この際、θ２傾いているため屈折により光軸シフトが発生するが、出射方向は入射方向と同じｚ方向が維持される。
【００１６】
素子の傾け角と基板の厚さは、屈折による光軸シフトが相殺されるように次式のように設定されることが望ましい。即ち、第一の反射型偏光子を保持する基板、第二の反射型偏光子を保持する基板のそれぞれの屈折率をｎ１、ｎ２、傾き角をθ１、θ２、厚さをｔ１、ｔ２としたとき、それぞれの基板を透過する際の屈折による光軸ずれの大きさｄ１とｄ２は、ｄ１＝ｔ１／ｃｏｓ（θａ）×ｓｉｎ（θ１−θａ）、ｄ２＝ｔ２／ｃｏｓ（θｂ）×ｓｉｎ（θ１−θｂ）、ただしθａ＝ｓｉｎ−１（ｓｉｎθ１／ｎ１）、θｂ＝ｓｉｎ−１（ｓｉｎθ２／ｎ２）である。従って、ｄ１＝ｄ２となる関係を保つように屈折率、角度、厚さを定めれば、光軸シフトは生じない。
【００１７】
ガーネット結晶は組成により特性が異なるが、例えば前記のようにガーネットの屈折率を２．４、４５°の回転角を与える厚さを５００μｍ、ガラス基板の屈折率を１．４５、傾き角を５°とすると、ガラス基板の厚さは９４０μｍとなる。光軸シフトがなければＬＤとファイバの間に２つのレンズを用いたコリメート系の任意の位置に挿入することができ、アセンブリを容易にすることができる。ただし、アイソレータの前後に使われる光学系で光軸ずれを許容できるのであれば、上記の関係に限られるものではない。
【００１８】
一方、逆方向の動作では、光ファイバからの戻り光のうち、一つの偏波成分は第ニのフォトニック結晶偏光子１０２で反射される。傾き角度をθ（＝θ１＝θ２）とすると、反射光は光ファイバに対して２θの角度ずれをもつため、光ファイバには結合しない。また直交する偏波成分は、第ニのフォトニック結晶偏光子を透過した後、第一のフォトニック結晶偏光子で反射され、再び第二のフォトニック結晶偏光子で反射される。そのとき、ｚ軸に対する光線の方向は４θとなる。傾きθおよび２つの偏光子の間隔を適切に選ぶことにより、光ビームは前記匡筒の内壁に達し、ＬＤ側には遮断される。
【００１９】
図４（ａ）は本アイソレータを用いたＬＤモジュールの概念図である。ＬＤ４０１から出射された拡散する光ビームは、第一のレンズ４０２を通ることにより平行ビームとなる。上記アイソレータを通り、第二のレンズ４０３により集光され、光ファイバ４０４に結合する。本アイソレータは入射光と出射光の光軸ずれを伴わないため、図３のようなコリメート系に挿入しても、光ファイバの光軸調整を発生させることがない。予め結合が取れているＬＤと光ファイバの間にアイソレータを挿入するだけでよいから、アセンブリのコストを大幅に低減することが可能になる。
また、図４（ｂ）のように、ファイバ側から見た反射減推量を高くするために、ファイバの先端を斜めに加工した場合には、光線をファイバの軸方向に戻すためにくさびガラスを挿入することが効果的である。
【００２０】
用いるレンズ系にはＬＤ出射光を光ファイバに効率良く結合でき、安価なものであれば特に制約はない。例えば、焦点距離ｆが１．８ｍｍのレンズはビーム直径を２００μｍにすることができ、アイソレータチップを小型化することが可能になる。また安価な球レンズを用いることもできる。例えばＢＫ７（屈折率１．５）で直径５００μｍ程度のものでも良い。
図８は前記アイソレータを用いたＬＤモジュールの構成例である。筐体８０１に、ＬＤチップ４０１、第一のレンズ４０２、前記アイソレータ、第二レンズ４０３、くさびガラス４０６、フェルール８０２に取り付けられた光ファイバ４０４の順に取り付ける。ＬＤから出射された必要な偏波は、筐体８０１の軸方向に平行に進む。アイソレータによる光軸ずれはないので、各部品が筐体の中心があっていれば、無調芯でＬＤモジュールを組み立てることが可能になる。
【００２１】
【実施例】
上記の実施形態以外の実施例を以下に示す。
（実施例１）
本発明の光アイソレータの一つの実施例を、図５を使って説明する。第一の反射型偏光子であるフォトニック結晶偏光子５０１と、第二の反射型偏光子であるフォトニック結晶偏光子５０２は、ファラデー回転子であるガーネット結晶５０３の表面に直接形成されている。ファラデー回転角は２枚の合計で４５°回転するように設定されている。ここではそれぞれ２２．５°回転するような同一の回転係数、厚さを有するものを例にする。しかしながら、それに限定されるものではない。例えば、回転波長係数や温度係数の異なる２種類のガーネット結晶を使うことで、帯域拡大や動作環境の条件を緩和させることも可能である。２枚のファラデー回転子は、入射方向に対してそれぞれ角度θだけ傾いて、匡筒５０４に固定されている。ここでθを５°とした。ガーネット結晶はリング状磁石５０５で磁化されている。但し、外部磁界の必要のないガーネット結晶を使う場合には磁石は不要となる。
【００２２】
本実施例の構造では、偏光子を保持する基板は同じ材料、同じ厚さであるため、取り付け角度を等しくしておくだけで、順方向において入射光と出射光の光軸シフトは生じない。但し、ＬＤや光ファイバの設置条件により、適切なシフト量を与えることが必要あるいは許容できる場合には、傾き角を調整することが可能である。
動作は前記と同様である。順方向は第一の偏光子を透過した一偏波成分は、２つのファラデー回転子を透過したのち偏波面が４５°回転し、第二の偏光子を透過する。基板厚さと傾き角θが等しければ、光軸の変化はない。逆方向については、一つの偏波成分は第二の偏光子で反射される。残りの偏波成分は、第二の偏光子を透過した後、第一の偏光子で反射され、第二の偏光子でさらに反射され、大きな角度ずれが生じるため、匡筒に当たり遮断される。
【００２３】
次に作製方法について述べる。ガーネット基板上に対石英ガラス用のＡＲコートを形成したのち、石英膜を厚さ５μｍ堆積する。その後、溝列を電子ビームリソグラフィとドライエッチングにより形成する。ここではピッチ０．５μｍとした。石英膜を自己クローニング条件で形成することにより、矩形の溝を波状に整形する。その後、ＳｉＯ２とアモルファスシリコンの多層膜を同様に自己クローニングプロセスで積層する。厚さはそれぞれ０．２２μｍと０．３５μｍである。積層周期は１２周期とする。最後に対空気に対するＡＲ膜を堆積する。全膜厚は約７μｍとなった。ここでガーネット基板の厚さは２５０μｍ、大きさは約１１ｍｍ角であった。
次に偏光子を積層したガーネット基板をチップ状に切断する。例えば０．７ｍｍ角に切断し、透過する偏光軸を概略４５°となるように匡筒に貼り付ける。固定は半田付けでもよく、また接着剤を使用しても良い。
【００２４】
（実施例２）
図６は本発明の光アイソレータの一つの実施例を示す。第一の反射型偏光子１０１はガラス基板１０４の上に、第二の反射型偏光子１０２はガラス基板１０４の上に形成されており、その間に４５°の回転角を有するファラデー回転子１０３が配置されている。ファラデー回転子はリング状の磁石１０５で磁化されている。ファラデー回転子の法線方向は、光の入射方向に対して僅かに傾けられている。順方向および逆方向の動作は前記のアイソレータとほぼ同じである。
【００２５】
（実施例３）
図７は本発明の光アイソレータの一つの実施例を示す。アイソレータチップは、４５°の回転角を有するファラデー回転子１０３と、くさび形基板７０１に形成された第一の反射型偏光子１０１と第二の反射型偏光子１０２からなる。ここで反射型偏光子として、フォトニック結晶偏光子を用いた。その他の反射型偏光子でも同様である。くさびの頂角θｗはどちらも等しくし、チップ全体が平行になるように図７のように張り合わせる。但し、偏光子のなす平面は平行ではなく、くさびの頂角θｗ分だけ傾くようにする。チップに対して、入射角θｉで光を入射する。ここではθｗを５°、θｉを５°とした。
【００２６】
順方向の動作は基本的には前述のアイソレータと同様である。第一の偏光子を透過した偏波成分が、ファラデー回転子により４５°偏波面が回転し、第二の偏光子を透過する。２枚のくさびを互い違いに貼り合わせているため、出射光は入射光と平行である。
逆方向の光の内、ある偏波成分は第二の偏光子で反射され、角度ずれにより光軸からずれる。残りの偏波成分は、第二の偏光子を透過し、第一の偏光子で反射し、さらに第二の偏光子で反射される。第一の偏光子を透過するが、光は入射方向に対して１５度の角度ずれが生じるため、ＬＤには結合しない。
【００２７】
次に作製方法について述べる。平行平板ガラス基板に溝列をリソグラフィとエッチングにより形成し、フォトニック結晶偏光子を積層する。積層条件は前記のものとした。積層後、基板の裏面を研磨して、くさび形状に加工する。ここでくさびの頂角θｗを５°とした。このように加工した２枚のフォトニック結晶偏光子を、図７のように、片方を内側に、片方を外側になるようにファラデー回転子を接着する。
偏光子およびファラデー回転子の大きさをそれぞれ１０ｍｍ角とし、それらを貼り合わせてから、１ｍｍ角に切断する。ダイシングされたアイソレータチップを匡体に固定する。このとき、切り出したアイソレータチップの中には２枚のくさび基板の厚さが等しくないものが含まれる。しかしながら、チップ全体の厚さは等しく、順方向における光軸シフト量は同じであるので、光結合への影響はない。また、逆方向の角度ずれも変わらないので、アイソレーション特性にも影響はない。本実施例の場合、２枚の偏光子の光軸をファラデー回転角の４５°となるように貼り合わせる作業は大きな基板で行うだけ、多数のアイソレータチップを形成できるため、アセンブリが簡素化される。
【００２８】
【発明の効果】
本発明の構造からなるアイソレータは、ファラデー回転子の両側に２枚の反射型偏光子を配置し、２枚の偏光子を平行ではなく傾斜させて向かい合わせることで形成される。本発明のアイソレータは、吸収型偏光子を用いるタイプと比べて、光吸収による発熱がないため信頼性に優れる。ガーネット上に直接形成したフォトニック結晶偏光子を用いると、さらに部品点数を削減でき、組立てコスト削減に適している。また、順方向の光軸ずれを起こさない配置が可能であるため、アイソレータをＬＤモジュールの中に簡単に組み入れることが可能となる。このように量産性に優れたＬＤモジュールはメトロ系や加入者系における光送信器に応用されるなど用途は広く、従来の光モジュールを置きかえることが可能になる。
【図面の簡単な説明】
【図１】本発明を表わす光アイソレータ
【図２】フォトニック結晶偏光子の構造を表す図
【図３】光線により本発明のアイソレータの動作を表す図
【図４】本発明を表わす光アイソレータを用いたＬＤモジュール
【図５】本発明の実施例を示す図
【図６】本発明の実施例を示す図
【図７】本発明の実施例を示す図
【図８】本発明を表す光アイソレータを用いたＬＤモジュール
【符号の説明】
１０１  第一の反射型偏光子
１０２  第ニの反射型偏光子
１０３  ファラデー回転子
１０４  ガラス基板
１０５  円筒状の筐体
２０１  凹凸パターン付き基板
２０２  高屈折率材料
２０３  低屈折率材料
４０１  ＬＤ
４０２  第一のレンズ
４０３  第二のレンズ
４０４  光ファイバ
４０５  磁石
４０６  プリズム
５０１  ２２．５°の回転角を与えるファラデー回転子
７０１  くさび形状をした基板
８０１  筐体
８０２  フェルール
【図１】
2004341076.tif 000003
【図２】
2004341076.tif 000004
【図３】
2004341076.tif 000005
【図４】
2004341076.tif 000006
【図５】
2004341076.tif 000007
【図６】
2004341076.tif 000008
【図７】
2004341076.tif 000009
【図８】
2004341076.tif 000010